(57)【特許請求の範囲】
【請求項１】
内部に放電ガスが封入され透光性を有する発光部及び前記発光部の端部に形成された封止部とを有する発光管と、
前記封止部に埋設支持され、一部が前記発光部に近接し又は接触して設けられ、前記発光管に高圧パルスを印加する始動補助電極と、
前記発光管及び前記始動補助電極を内部に収容する外管とを具備する無電極放電ランプであって、
前記封止部の外周部には、前記外管の内壁と前記封止部との間を架橋して前記発光管を支持する支持具が固着され、
前記支持具は、複数のモリブデン棒で支持されている無電極放電ランプ。
【請求項２】
内部に放電ガスが封入され透光性を有する発光部及び前記発光部の端部に形成された封止部とを有する発光管と、
一部が前記発光部の外表面に近接し又は接触し、前記発光管に高圧パルスを印加する始動補助電極と、
前記発光管及び前記始動補助電極を内部に収容する外管とを具備する無電極放電ランプであって、
前記封止部の外周部には、前記外管の内壁と前記封止部との間を架橋して前記発光管を支持する支持具が固着され、
前記支持具は、複数のモリブデン棒で支持されている無電極放電ランプ。
【請求項３】
前記始動補助電極が、前記支持具に固着されている請求項２記載の無電極放電ランプ。
【請求項４】
前記始動補助電極が、前記支持具と前記封止部との隙間に挿通され、固定されている請求項２記載の無電極放電ランプ。
【請求項５】
内部に放電ガスが封入され透光性を有する発光部及び前記発光部の端部に形成された筒状支持部とを有する発光管と、
一部が前記発光部の外表面に近接し又は接触し、前記発光管に高圧パルスを印加する始動補助電極と、
前記発光管及び前記始動補助電極を内部に収容する外管とを具備する無電極放電ランプであって、
前記筒状支持部の外周部には、前記外管の内壁と前記筒状支持部との間を架橋して前記発光管を支持する支持具が固着され、
前記支持具は、複数のモリブデン棒で支持されている無電極放電ランプ。
【請求項６】
前記始動補助電極が、前記筒状支持部の内部に配設されている請求項５記載の無電極放電ランプ。
【請求項７】
前記筒状支持部の内部に配設された前記始動補助電極の長さが、前記始動補助電極の固定部から前記発光部までの最短長よりも長い請求項５又は６記載の無電極放電ランプ。
【請求項８】
前記筒状支持部に面している前記発光部の形状が、前記筒状支持部に向かって凸形状である請求項５から７のいずれかに記載の無電極放電ランプ。
【請求項９】
前記始動補助電極からの光電子の放出を防止するための光電子放出防止手段を施した請求項１から８のいずれかに記載の無電極放電ランプ。
【請求項１０】
前記光電子放出防止手段として、前記発光管が紫外線遮断ガラスからなる請求項９記載の無電極放電ランプ。
【請求項１１】
前記光電子放出防止手段として、前記発光部の表面に紫外線遮断膜を施した請求項９記載の無電極放電ランプ。
【請求項１２】
前記光電子放出防止手段として、前記始動補助電極に紫外線遮断膜を施した請求項９記載の無電極放電ランプ。
【請求項１３】
前記外管の端部に外管封止部を設け、前記外管封止部にねじ込み口金を設けた請求項１から１２のいずれかに記載の無電極放電ランプ。
【請求項１４】
前記ねじ込み口金の外側接点に前記始動補助電極を電気的に接続した請求項１３記載の無電極放電ランプ。
【発明の詳細な説明】
【０００１】
【発明の属する技術分野】
本発明は、ランプの周囲に誘導コイルを卷回し、高周波放電により発光部内の放電ガスを励起発光させる無電極放電ランプに関するものである。
【０００２】
【従来の技術】
（第１の従来例）
一般に、無電極放電ランプは、既存の有電極放電ランプに比べて、特に寿命特性に優れているため、主にランプ交換が困難な箇所での照明設備として期待されている。例えば、米国特許第５１５００１５号に記載された従来の無電極放電ランプ（第１の従来例）について、図７を用いて説明する。
【０００３】
図７に示す第１の従来例は、内部に金属ハロゲン化物等が封入された発光管１と、発光管１を取り囲むように設けられた外管２と、発光管１を保持すると共にランプ始動時に発光管１に所定の電圧を印加するための始動チャンバー３と、外管２を介して発光管１と対向するように外管２の外部に巻回されたコイル４と、始動チャンバー３及びコイル４に所定の電圧又は電流を供給するための電源部５等で構成されている。外管２の内部２ａは真空又は大気圧よりも低圧の不活性ガスが封入されている。
【０００４】
一般に、放電ランプの発光効率を高めるために、発光物質の蒸気圧を高くすること、即ち発光物質の入った発光部の最冷点部の温度を高くすることが好ましい。上記第１の従来例では、発光管１の発光部の最冷点部の温度を高くするために、発光管１の回りに外管２をかぶせ、発光部の最冷点部を外気から遮断している。そのため、ランプ点灯中における発光管１内の発光物質の蒸気圧の低下を少なくすることができ、ランプ点灯中において所望の発光効率が得られる。
【０００５】
（第２の従来例）
次に、例えば特開平８−１７４０５号公報に記載された従来の無電極放電ランプ（第２の従来例）について、図８を用いて説明する。なお、図７に示す第１の従来例と同じ番号を付した構成要素は実質的に同一のものとする。図８に示す第２の従来例では、発光管１の外壁に中空パイプ６の第１端を融着させ（融着部を６ａとする）、また第２端を外管２の内壁に融着させている（融着端を６ｂとする）。また、外管２と中空パイプ６の第２端との融着端６ｂは開口しており、始動補助電極７が融着端６ｂの開口部から挿入され、始動補助電極７の端部７ａが発光管１の外壁と接触するように配設されている。
【０００６】
【発明が解決しようとする課題】
しかしながら、上記第１の従来例では、放電ランプの始動時には、高電圧が始動チャンバー３を介して発光部に印加されるため、発光部１にはかなり減衰した電圧が印加される。従って、始動のためには、非常に大きな電圧を始動チャンバー５に印加しなければならないという問題点を有していた。
【０００７】
一方、図８に示す第２の従来例では、始動補助電極７の端部７ａが発光管１の外壁に接触するため、高電圧を直接発光管１の発光部に印加することができる。従って、図７に示す第１の従来例と異なり、印加する電圧を低くすることができる。しかし、第２の従来例では、発光効率を高めるために、始動補助極７を外管２の外部から中空パイプ６を介して直接発光管１に接触させる２重管構造であるため、発光管１と中空パイプ６の融着部６ａが直接外気と接触する。そのため、融着部６ａより発光管１の発光部の熱が奪われ、融着部６ａ近傍が最冷点部となる。従って、発光管１の発光部の発光物質の蒸気圧が低下し、所望の発光効率が得られにくいという問題点を有していた。
【０００８】
本発明は、上記第１及び第２の従来例の問題点を解決するためになされたものであり、大きな電圧を印加することなくランプを始動することができるととともに、良好な発光効率を得ることのできる無電極放電ランプを提供することを目的としている。
【００１０】
【課題を解決するための手段】
本発明の第１の無電極放電ランプは、内部に放電ガスが封入され透光性を有する発光部及び前記発光部の端部に形成された封止部とを有する発光管と、前記封止部に設けられ、前記発光管を支持する支持具と、一部が前記発光部外表面に近接し又は接触し、前記発光管に高圧パルスを印加する始動補助電極と、前記発光管、前記支持具及び前記始動補助電極を内部に収容する外管とを具備しており、前記始動補助電極が前記支持具に固着されている。
【００１１】
本発明の第２の無電極放電ランプは、内部に放電ガスが封入され透光性を有する発光部及び前記発光部の端部に形成された封止部とを有する発光管と、前記封止部に設けられ、前記発光管を支持する支持具と、一部が前記発光部外表面に近接し又は接触し、前記発光管に高圧パルスを印加する始動補助電極と、前記発光管、前記支持具及び前記始動補助電極を内部に収容する外管とを具備しており、前記始動補助電極が前記支持具と前記発光管封止部との隙間に挿通され、固定されている。
【００１２】
本発明の第３の無電極放電ランプは、内部に放電ガスが封入され透光性を有する発光部及び前記発光部の端部に形成された筒状支持部とを有する発光管と、前記筒状支持部に設けられ、前記発光管を支持する支持具と、一部が発光部外表面に近接し又は接触し、前記発光管に高圧パルスを印加する始動補助電極と、前記発光管、前記支持具及び前記始動補助電極を内部に収容する外管とを具備しており、前記始動補助電極が前記支持具に接続されている。
【００１３】
上記第３の構成において、前記始動補助電極を前記筒状支持部内部に配設することが好ましい。
また、前記筒状支持部の内部に配設された前記始動補助電極の長さが、前記始動補助電極の固定部から発光部までの最短長よりも長いことが好ましい。
【００１４】
また、 前記筒状支持部に面している前記発光部の形状が、前記筒状支持部に向かって凸形状であることが好ましい。
【００１５】
上記第１から第３のいずれかの構成において、前記始動補助電極からの光電子の放出を防止するための光電子放出防止手段を施すことが好ましい。
また、前記光電子放出防止手段として、前記発光管が紫外線遮断ガラスを用いることが好ましい。
【００１６】
または、前記光電子放出防止手段として、前記発光部表面に紫外線遮断膜を施すことが好ましい。
または、前記光電子放出防止手段として、前記始動補助電極に紫外線遮断膜を施すことが好ましい。
【００１７】
さらに、上記第１から第３のいずれかの構成において、前記外管の端部に外管封止部を設け、前記外管封止部にねじ込み口金を設けることが好ましい。
また、前記ねじ込み口金の外側接点に前記始動補助電極を電気的に接続することが好ましい。
前記始動補助電極は、前記封止部に埋設支持された一端が前記発光部に近接し又は接触して設けられ、他端が前記支持具に接続されていることが好ましい。
【００１８】
【発明の実施の形態】
（第１の実施形態）
本発明の無電極放電ランプの第１の実施形態について、図１を参照しつつ説明する。図１に示す無電極放電ランプの第１の実施形態において、発光管１０は、内部に放電ガスが封入され透光性を有する発光部１１と、この発光部１１の端部にピンチシール加工により形成された封止部１２とを有し、外管２０の内部２３に収容されている。発光管１０の封止部１２の外周部には、外管２０の内壁２１と封止部１２との間を架橋して発光管１０を支持する支持具３０が固着されている。発光管１０の封止部１２の内部には、始動補助電極４０が埋設されている。始動補助電極４０は、発光管１０の発光部１１に高圧パルスを印加するためのものであり、その先端部４１が発光部１１に近接し又は接触するように設けられている。
【００１９】
発光部１１の内部には、放電ガスとしての１００Ｔｏｒｒのキセノンガスと、発光物質としての１２ｍｇのＮａＩ−ＴｌＩ−ＩｎＩ混合ヨウ化物が封入されている。外管２０は例えば石英ガラスで構成され、端部はピンチシール加工され、外管封止部２２が形成されている。外管２０の内部２３は真空に保たれている。無電極放電ランプの外部で、かつ外管２０の管壁を介して発光部１１と対向する位置には誘導コイル５０が巻回されている。誘導コイル５０のコイル部の内径は３６ｍｍであり、巻回数は５ターンである。誘導コイル５０の両端には高周波電圧が印加されている。
【００２０】
外管封止部２２には、モリブデン箔４３、外部リード棒４４及び第３のモリブデン棒４６の一端４６ａが埋設されている。モリブデン箔４３の一端には外部リード棒４４が、他端には第１のモリブデン棒４２がそれぞれ接続されている。第１のモリブデン棒４２の点４２ａには、始動補助電極４０及び第２のモリブデン棒４５が溶接されている。第２のモリブデン棒４５の他端４５ａは支持具３０に溶接され、支持具３０を支持している。また、第３のモリブデン棒４６の他端４６ｂは、支持具３０に溶接され、支持具３０を支持している。
【００２１】
上記外管２０内に発光管１０を設けた２重管構造により、発光部１１を大気から遮断することができ、発光部１１の最冷点部の温度の低下を防止し、発光効率の低下を防止することができる。また、始動補助電極４０が発光管１０の封止部１２に埋設されているため、発光部１１と始動補助電極４０との位置関係が不変であり、ランプ寿命中を通じて一定のエネルギーを印加することができるため、ランプ寿命末期まで安定した始動性能を維持することができる。
【００２２】
ここで、もしも、ランプ点灯中に発光部１１で発生した紫外線が始動補助電極４０に照射されると、始動補助電極４０で光電子が発生し、発光部１１に帯電した電子によって引きつけられた発光物質のアルカリイオンが発光部１１の外部や発光部１１の管壁に移動し、発光特性が変化してしまうという不具合を生じる。このような不具合を防止するため、始動補助電極４０からの光電子の放出を防止するために、光電子放出防止手段を設けても良い。光電子放出防止手段として、例えば発光管１０の発光部１１を、酸化チタンを微量混合した紫外線遮断ガラスで構成する。この場合、発光部１１で発生した紫外線は紫外線遮断ガラスにより遮断され、始動補助電極４０に照射されないので、始動補助電極４０で光電子が発生することがない。その結果、ランプの発光特性の変化を防止することができる。同様な効果は始動補助電極４０の表面又は発光部１１の外表面に紫外線遮断膜を施すことによっても得られる。
【００２３】
（第２の実施形態）
次に、本発明の無電極放電ランプの第２の実施形態について、図２を参照しつつ説明する。なお、図１に示す第１の実施形態の場合と同じ符号を付した構成要素は実質的に同一であるため、その説明を省略する。図２に示す第２の実施形態では、始動補助電極６０を発光管１０の発光部１１の外表面に近接させ又は接触させた構造を有する。この場合、始動補助電極６０は、点６０ａにおいて支持具３０の表面に溶接によって固定されている。その他の構成は第１の実施形態とほぼ同じである。このような構成により、上記第１の実施形態の無電極放電ランプと同様な効果を得ることができる。なお、始動補助電極６０を、支持具３０と封止部１２との隙間に挿通し、挟着して固定しても良い。
【００２４】
（第３の実施形態）
次に、本発明の無電極放電ランプの第３の実施形態について、図３を参照しつつ説明する。なお、図１に示す第１の実施形態の場合と同じ符号を付した構成要素は実質的に同一であるため、その説明を省略する。図３に示す第３の実施形態において、発光管７０は、内部に放電ガスが封入され透光性を有する発光部７１と、発光部７１の端部に形成された筒状支持部７２とを有し、外管２０の内部２３に収容されている。発光管７０の筒状支持部７２の外周部には、外管２０の内壁２１と筒状支持部７２との間を架橋して発光管７０を支持する支持具３０が固着されている。始動補助電極８０は筒状支持部７２の内部に設けられ、その先端部８１が発光部７１の外表面に近接し又は接触している。その他の構成は第１の実施形態の場合と同様である。
【００２５】
上記始動補助極８０が発光管７０の筒状支持部７２の内部に配設された構造により、始動補助極８０の先端部８１を発光部７１の外表面に確実に近接させ又は接触させることが容易となる。また、ランプに何らかの振動や衝撃が加わった場合でも、発光部７１の近傍の始動補助電極８０の先端部８１が動く範囲は筒状支持部７２の内部に限られるので、先端部８１が発光部７１から遠く離れたり、外れたりすることがない。すなわち、振動や衝撃がランプに加わっても、始動補助電極８０と発光部７１との近接又は接触状態が維持され、始動性を失うことがない。
【００２６】
（第４の実施形態）
次に、本発明の無電極放電ランプの第４の実施形態について、図４を参照しつつ説明する。なお、図３に示す第３の実施形態の場合と同じ符号を付した構成要素は実質的に同一であるため、その説明を省略する。図４に示す第４の実施形態は、上記第３の実施形態の無電極放電ランプにおいて、筒状支持部７２の内部に配設された始動補助電極８０の長さを、始動補助電極８０と第１のモリブデン棒４２との溶接部４２ａ（以下、固定部４２ａとする）から発光部７１までの最短長よりも長くしている。その他の構成は第３の実施形態の場合とほぼ同じである。この構成により、始動補助極８０を発光管７０の発光部７１の外表面にほぼ常時接触させることができる。
【００２７】
始動補助電極８０の材料として、熱サイクルに強く、剛性も高いタングステンやモリブデン等を用いる。ところが、本発明の無電極放電ランプを、例えば振動の激しい道路照明等に用いた場合や、点灯・消灯の熱サイクル等により始動補助電極８０が疲労し、変形する場合も考慮に入れなければならない。第４の実施形態の場合、筒状支持部７２の内部に配設された始動補助電極８０の長さを、固定部４２ａから発光部７１までの最短長よりも長くしているので、始動補助電極８０が自らが有するばね性（弾性）により、その先端部８１が発光部７１の外表面に押さえつけられ、接触が行われる。仮に、始動補助電極８０の先端部８１が変形したとしても、発光管７０の筒状支持部７２の軸方向における始動補助電極８０の有効長さが、固定部４２ａと発光部７１までの最短長よりも短くならない限り、始動補助電極８０と発光部７１との接触が保たれ、最低限の始動性を確保することができる。
【００２８】
（第５の実施形態）
次に、本発明の無電極放電ランプの第５の実施形態について、図５を参照しつつ説明する。なお、図３に示した第３の実施形態又は図４に示した第４の実施形態の場合と同じ符号を付した構成要素は実質的に同一であるため、その説明を省略する。図５に示す第５の実施形態は、上記第３又は第４の実施形態の無電極放電ランプにおいて、発光管７０の発光部７１の外表面の内、筒状支持部７２に面している部分７３の形状を、筒状支持部７２側に向かって凸形状としたものである。
【００２９】
このような構成により、始動補助極８０の先端部８１を、発光部７１の外表面に、より確実に近接又は接触させることができるとともに、始動補助電極８０の先端部８１が常に誘導コイル５０側に向かって位置しようとするので、より低いエネルギーでも始動を可能にすることができる。
【００３０】
（第６の実施形態）
次に、本発明の無電極放電ランプの第６の実施形態について、図６を参照しつつ説明する。なお、図２に示した第２の実施形態の場合と同じ符号を付した構成要素は実質的に同一であるため、その説明を省略する。図６に示す第６の実施形態は、例えば上記第２の実施形態の無電極放電ランプにおいて、外管２０の外管封止部２２の部分にねじ込み口金９０を設けたものである。
【００３１】
このような構成により、ねじ込み口金９０と凹凸が逆のソケット（図示せず）を用いて無電極放電ランプの保持が可能になるとともに、当該ソケットに対して、ランプの軸回りの回転運動によりランプの着脱が可能となる。その結果、ランプの着脱の際、誘導コイル５０が障害となることが少ない。更に、始動補助電極６０をねじ込み口金９０の外側接点９１に電気的に接続することにより、始動補助電極６０への電気的接続を失うこと無く、誘導コイル５０と発光部１１の位置合わせが、無電極放電ランプを回転させるという簡単な作業により行うことが可能となる。
【００３２】
なお、第１の実施形態で説明した光電子放出防止手段及び第６の実施形態で説明したねじ込み口金９０は、全ての実施形態に共通して実施可能であることは言うまでもない。
【００３３】
【発明の効果】
以上説明したように、本発明の第１の無電極放電ランプによれば、内部に放電ガスが封入され、透光性を有する発光部及び発光部の端部に形成された封止部とを有する発光管と、封止部に設けられ、発光管を支持する支持具と、封止部に埋設支持され、一部が発光部に近接または接触して設けられ、発光管に高圧パルスを印加する始動補助電極と、発光管、支持具及び始動補助電極を内部に収容する外管とを具備するので、発光管の発光部を外管の外部とを隔離することができ、発光部の最冷点部を外気から遮断し、発光部の最冷点部の温度を充分高く維持することができる。その結果、高い発光効率を維持することができる。また、始動補助電極は発光部に近接し又は接触しているため、始動補助電極に第１の従来例と比較して充分小さいエネルギーを印加してもランプを始動することができる。また、始動補助電極が埋設されているので発光部と始動補助電極とを確実に接触又は所定距離に近接させることができ、かつ始動補助電極と発光部とが離れることはない。
【００３４】
また、本発明の第２の無電極放電ランプによれば、内部に放電ガスが封入され、透光性を有する発光部及び発光部の端部に形成された封止部とを有する発光管と、封止部に設けられ、発光管を支持する支持具と、一部が発光部外表面に近接し又は接触し、発光管に高圧パルスを印加する始動補助電極と、発光管、支持具及び始動補助電極を内部に収容する外管とを具備するので、上記第１の無電極放電ランプと同様に、発光部を外管外部から隔離することができ、発光部の最冷点部温度を充分高く維持し、高い発光効率を維持することができる。また、始動補助電極の一部が発光部の外表面に近接し又は接触しているので、始動補助電極に小さいエネルギーを印加してもランプを始動することができる。
【００３５】
上記第２の無電極放電ランプにおいて、始動補助電極を支持具に固着し又は支持具と発光管封止部との隙間に挿通し固定することにより、始動補助電極を強固に固定保持することができ、始動補助電極と発光部とが離れることを防止することができる。
【００３６】
また、本発明の第３の無電極放電ランプによれば、内部に放電ガスが封入され、透光性を有する発光部及び発光部の端部に形成された筒状支持部とを有する発光管と、筒状支持部に設けられ、発光管を支持する支持具と、一部が発光部外表面に近接し又は接触し、発光管に高圧パルスを印加する始動補助電極と、発光管、支持具及び始動補助電極を内部に収容する外管とを具備するので、発光部と始動補助電極とを確実に接触でき、かつ始動補助電極と発光部とが離れることがない。
【００３７】
上記第３の無電極放電ランプにおいて、始動補助電極を筒状支持部内部に配設することにより、ランプに何らかの振動や衝撃が加わった場合でも、発光部の近傍の始動補助電極の先端部が動く範囲は筒状支持部の内部に限られるので、先端部が発光部から遠く離れたり、外れたりすることがなく、始動補助電極と発光部との近接又は接触状態が維持され、始動性を失うことがない。
【００３８】
また、上記第３の無電極放電ランプにおいて、筒状支持部の内部に配設された始動補助電極の長さを、始動補助電極の固定部から発光部までの最短長よりも長くすることにより、始動補助電極のばね性により、その先端部が発光部の外表面に押さえつけられ、接触が行われる。その結果、仮に、始動補助電極の先端部が変形したとしても、始動補助電極と発光部との接触が保たれ、最低限の始動性を確保することができる。
【００３９】
また、上記第３の無電極放電ランプにおいて、筒状支持部に面している発光部の形状を、筒状支持部に向かって凸形状とすることにより、始動補助極の先端部を、発光部の外表面に、より確実に近接又は接触させることができるとともに、始動補助電極の先端部が常に誘導コイル側に向かって位置しようとするので、より低いエネルギーでも始動を可能にすることができる。
【００４０】
上記第１から第３の無電極放電ランプにおいて、始動補助電極からの光電子の放出を防止するための光電子放出防止手段を施すことにより、始動補助電極からの光電子の放出を防止することができ、ランプの発光特性の変化を防止することができる。光電子放出防止手段として、発光管を紫外線遮断ガラスで形成したり、発光部表面に紫外線遮断膜を施したり、始動補助電極に紫外線遮断膜を施すことが好ましい。
【００４１】
また、上記第１から第３の無電極放電ランプにおいて、外管の端部に外管封止部を設け、外管封止部にねじ込み口金を設けることにより、無電極放電ランプの保持が容易になり、無電極放電ランプの軸回りの回転運動のみにより無電極放電ランプの着脱が可能となる。また、ねじ込み口金の外側接点に始動補助電極を電気的に接続することにより、無電極放電ランプを回転させるという簡単な作業により、始動補助電極への電気的接続を失うこと無く、誘導コイルと発光部との位置合わせが可能となる。
【図面の簡単な説明】
【図１】本発明の無電極放電ランプの第１の実施形態の構成を示す正面断面図
【図２】本発明の無電極放電ランプの第２の実施形態の構成を示す正面断面図
【図３】本発明の無電極放電ランプの第３の実施形態の構成を示す正面断面図
【図４】本発明の無電極放電ランプの第４の実施形態の構成を示す正面断面図
【図５】本発明の無電極放電ランプの第５の実施形態の構成を示す正面断面図
【図６】本発明の無電極放電ランプの第６の実施形態の構成を示す正面断面図
【図７】第１の従来の無電極放電ランプの構成を示す正面断面図
【図８】第２の従来の無電極放電ランプの構成を示す正面断面図
【符号の説明】
１０  ：発光管
１１  ：発光部
１２  ：封止部
２０  ：外管
２１  ：外管の内壁
２２  ：外管封止部
２３  ：外管内部
３０  ：支持具
４０  ：始動補助電極
４１  ：始動補助電極の先端部
４２  ：第１のモリブデン棒
４２ａ：始動補助電極と第１のモリブデン棒との溶接部（固定部）
４３  ：モリブデン箔
４４  ：外部リード棒４４
４５  ：第２のモリブデン棒
４５ａ：第２のモリブデン棒の他端（溶接部）
４６  ：第３のモリブデン棒
４６ａ：第３のモリブデン棒の一端
４６ｂ：第３のモリブデン棒の他端（溶接部）
５０  ：誘導コイル
６０  ：始動補助電極
６０ａ：支持具の表面との溶接部
７０  ：発光管
７１  ：発光部
７２  ：筒状支持部
７３  ：発光部の外表面の筒状支持部に面している部分
８０  ：始動補助電極
８１  ：始動補助電極の先端部
９０  ：ねじ込み口金
９１  ：ねじ込み口金の外側接点
【図１】
0003782169.tif 000002
【図２】
0003782169.tif 000003
【図３】
0003782169.tif 000004
【図４】
0003782169.tif 000005
【図５】
0003782169.tif 000006
【図６】
0003782169.tif 000007
【図７】
0003782169.tif 000008
【図８】
0003782169.tif 000009